(57)【要約】【課題】簡便に地域情報を設定することが可能な放送受信装置を提供する。【解決手段】ＤＶＲ１００の制御部１０２は、地域情報の取得要求をテレビ２００に送信し、この取得要求に対する応答をＴＶ２００から受信すると、受信した応答から地域情報を抽出し、抽出した地域情報を用いてチャンネルプリセットを行う。ＴＶ２００の制御部２０４は、地域情報を記憶しており、地域情報の取得要求をＤＶＲ１００から受信すると、その応答として、記憶している地域情報をＤＶＲ１００に送信する。【選択図】図１
2007104140.tif 000002
【特許請求の範囲】
【請求項１】
放送を受信する放送受信装置であって、
地域を示す情報である地域情報の取得要求を外部機器に送信する要求送信手段と、
前記取得要求に対する応答を前記外部機器から受信する応答受信手段と、
受信された前記応答から前記地域情報を抽出する抽出手段と、
抽出された前記地域情報を用いてチャンネルプリセットを行うプリセット手段と
を備えることを特徴とする放送受信装置。
【請求項２】
前記放送受信装置はさらに、
抽出された前記地域情報を記憶する記憶手段を備え、
前記要求送信手段は、前記記憶手段に前記地域情報が記憶されていない場合、またはユーザにより前記地域情報の更新が指示された場合、前記取得要求を外部機器に送信する
ことを特徴とする請求項１に記載の放送受信装置。
【請求項３】
放送を受信する放送受信装置であって、
地域を示す情報である地域情報を記憶する記憶手段と、
前記地域情報の取得要求を外部機器から受信する要求受信手段と、
前記取得要求に対する応答として、前記記憶手段に記憶されている地域情報を前記外部機器に送信する応答送信手段と
を備えることを特徴とする放送受信装置。
【請求項４】
放送を受信する放送受信装置であって、
地域を示す情報である地域情報を記憶する記憶手段と、
前記地域情報の更新通知として、前記記憶手段に記憶されている地域情報を外部機器に送信する更新通知送信手段と
を備えることを特徴とする放送受信装置。
【請求項５】
前記更新通知送信手段は、前記記憶手段に記憶されている前記地域情報が更新された場合、前記更新通知を外部機器に送信する
ことを特徴とする請求項４に記載の放送受信装置。
【請求項６】
放送を受信する放送受信装置であって、
地域を示す情報である地域情報の更新通知を外部機器から受信する更新通知受信手段と、
受信された前記更新通知から前記地域情報を抽出する抽出手段と、
抽出された前記地域情報を用いてチャンネルプリセットを行うプリセット手段と
を備えることを特徴とする放送受信装置。
【請求項７】
前記地域情報は、郵便番号、市外局番、または都道府県番号を示す情報である
ことを特徴とする請求項１、３、４、６のいずれかに記載の放送受信装置。
【請求項８】
放送を受信する第１の放送受信装置と、放送を受信する第２の放送受信装置とを備える放送受信システムであって、
前記第１の放送受信装置は、
地域を示す情報である地域情報の取得要求を前記第２の放送受信装置に送信する要求送信手段と、
前記取得要求に対する応答を前記第２の放送受信装置から受信する応答受信手段と、
受信された前記応答から前記地域情報を抽出する抽出手段と、
抽出された前記地域情報を用いてチャンネルプリセットを行うプリセット手段と
を備え、
前記第２の放送受信装置は、
地域を示す情報である地域情報を記憶する記憶手段と、
前記地域情報の取得要求を外部機器から受信する要求受信手段と、
前記取得要求に対する応答として、前記記憶手段に記憶されている地域情報を前記第１の放送受信装置に送信する応答送信手段と
を備える
ことを特徴とする放送受信システム。
【請求項９】
放送を受信する第１の放送受信装置と、放送を受信する第２の放送受信装置とを備える放送受信システムであって、
前記第１の放送受信装置は、
地域を示す情報である地域情報を記憶する記憶手段と、
前記地域情報の更新通知として、前記記憶手段に記憶されている地域情報を前記第２の放送受信装置に送信する更新通知送信手段と
を備え、
前記第２の放送受信装置は、
地域を示す情報である地域情報の更新通知を前記第１の放送受信装置から受信する更新通知受信手段と、
受信された前記更新通知から前記地域情報を抽出する抽出手段と、
抽出された前記地域情報を用いてチャンネルプリセットを行うプリセット手段と
を備える
ことを特徴とする放送受信システム。
【請求項１０】
放送を受信する放送受信方法であって、
地域を示す情報である地域情報の取得要求を外部機器に送信する要求送信ステップと、
前記取得要求に対する応答を前記外部機器から受信する応答受信ステップと、
受信された前記応答から前記地域情報を抽出する抽出ステップと、
抽出された前記地域情報を用いてチャンネルプリセットを行うプリセットステップと
を含むことを特徴とする放送受信方法。
【請求項１１】
放送を受信する放送受信方法であって、
地域を示す情報である地域情報を記憶する記憶ステップと、
前記地域情報の取得要求を外部機器から受信する要求受信ステップと、
前記取得要求に対する応答として、前記記憶ステップにおいて記憶された地域情報を前記外部機器に送信する応答送信ステップと
を含むことを特徴とする放送受信方法。
【請求項１２】
放送を受信する放送受信方法であって、
地域を示す情報である地域情報を記憶する記憶ステップと、
前記地域情報の更新通知として、前記記憶ステップにおいて記憶された地域情報を外部機器に送信する更新通知送信ステップと
を含むことを特徴とする放送受信方法。
【請求項１３】
放送を受信する放送受信方法であって、
地域を示す情報である地域情報の更新通知を外部機器から受信する更新通知受信ステップと、
受信された前記更新通知から前記地域情報を抽出する抽出ステップと、
抽出された前記地域情報を用いてチャンネルプリセットを行うプリセットステップと
を含むことを特徴とする放送受信方法。
【発明の詳細な説明】
【技術分野】
【０００１】
本発明は、放送を受信する放送受信装置に関し、特に、地上デジタル放送を受信する地上デジタル放送受信装置に地域情報を設定する技術に関する。
【背景技術】
【０００２】
近年、ＴＶや、ＤＶＤレコーダのようなＤＶＲ（Ｄｉｇｉｔａｌ  Ｖｉｄｅｏ  Ｒｅｃｏｒｄｅｒ）等、地上デジタル放送を受信する地上デジタル放送受信装置が普及しつつある。
【０００３】
地上デジタル放送受信装置の新規設置時や、転居等により居住地が変更となった時は、その使用環境等に合わせて設定をする必要がある。このような設定に関わるユーザの手間を軽減するため、一般的な地上デジタル放送受信装置は、自動的に選局対象とするチャンネルを登録するプリセット機能を備えている。チャンネルの登録とは、例えば、リモコンの１番から１２番までの選局ボタンそれぞれにチャンネルを割り当てて記憶することである。
【０００４】
このようなチャンネルプリセットを行うためには、あらかじめ地域情報を設定しておく必要がある。地域情報とは、郵便番号・都道府県・市外局番等、地域を示す情報である。ユーザは、地上デジタル放送受信装置のＧＵＩを通じて、地域情報を直接入力したり、該当する地域を選択画面より選択したりする。
【０００５】
そのため、複数の地上デジタル放送受信装置を所有するユーザは、機器が増えるたびに地域情報を設定する必要がある。また、転居等により居住地が変更となった時も、所有する全ての地上デジタル放送受信装置の地域情報を設定しなおす必要がある。さらに、地域情報を直接入力する際に誤った情報を入力した場合や、該当する地域を選択画面より選択する際に誤った地域を選択した場合は、特定の地上デジタル放送受信装置のみ、他の地上デジタル放送受信装置と設定内容が異なってしまう等の問題がある。
【０００６】
特許文献１では、これら問題を回避するための方法を提案している。
すなわち、外部ネットワークと接続可能なサーバを設置するとともに、このサーバを介して地域情報等の情報を受信する赤外線装置を設置する。赤外線装置は、赤外線受信部を搭載したＴＶやビデオ等の機器に対して、地域情報の設定や修正を行う。
【特許文献１】特開２００４−３５０１００号公報
【発明の開示】
【発明が解決しようとする課題】
【０００７】
しかしながら、前記特許文献１に開示される方法によると、インターネットプロバイダ等の情報提供者が必要になる。また、外部ネットワーク接続用のサーバや、情報を送信するための赤外線装置等、ＴＶやビデオ以外の機器が必要になる。
【０００８】
本発明は、このような問題点に鑑みてなされたものであり、簡便に地域情報を設定することが可能な放送受信装置を提供することを目的とする。
【課題を解決するための手段】
【０００９】
前記目的を達成するために、放送を受信する放送受信装置（例えばＤＶＲ）は、地域を示す情報である地域情報の取得要求を外部機器に送信する要求送信手段と、前記取得要求に対する応答を前記外部機器から受信する応答受信手段と、受信された前記応答から前記地域情報を抽出する抽出手段と、抽出された前記地域情報を用いてチャンネルプリセットを行うプリセット手段とを備える。これにより、前記取得要求に対する応答を外部機器から受信した場合は、その応答に含まれる地域情報を用いてチャンネルプリセットを行うことが可能となる。
【００１０】
ここで、前記放送受信装置はさらに、抽出された前記地域情報を記憶する記憶手段を備え、前記要求送信手段は、前記記憶手段に前記地域情報が記憶されていない場合、またはユーザにより前記地域情報の更新が指示された場合、前記取得要求を外部機器に送信してもよい。これにより、前記記憶手段に前記地域情報が記憶されていない場合、またはユーザにより前記地域情報の更新が指示された場合に限り、チャンネルプリセットが行なわれる。
【００１１】
他方、放送を受信する放送受信装置（例えばＴＶ）は、地域を示す情報である地域情報を記憶する記憶手段と、前記地域情報の取得要求を外部機器から受信する要求受信手段と、前記取得要求に対する応答として、前記記憶手段に記憶されている地域情報を前記外部機器に送信する応答送信手段とを備える。これにより、外部機器から地域情報の取得要求を受信した場合は、自機に設定されている地域情報を含む応答を前記外部機器に送信することが可能となる。
【００１２】
あるいは、放送を受信する放送受信装置（例えばＴＶ）は、地域を示す情報である地域情報を記憶する記憶手段と、前記地域情報の更新通知として、前記記憶手段に記憶されている地域情報を外部機器に送信する更新通知送信手段とを備える。これにより、自機の地域情報が新たに設定されると、その地域情報を含む更新通知を外部機器に送信することが可能となる。
【００１３】
ここで、前記更新通知送信手段は、前記記憶手段に記憶されている前記地域情報が更新された場合、前記更新通知を外部機器に送信してよい。これにより、前記記憶手段に記憶されている前記地域情報が更新された場合に限り、チャンネルプリセットが行なわれる。
【００１４】
他方、放送を受信する放送受信装置（例えばＤＶＲ）は、地域を示す情報である地域情報の更新通知を外部機器から受信する更新通知受信手段と、受信された前記更新通知から前記地域情報を抽出する抽出手段と、抽出された前記地域情報を用いてチャンネルプリセットを行うプリセット手段とを備える。これにより、前記更新通知を外部機器から受信した場合は、この更新通知に含まれる地域情報を用いてチャンネルプリセットを行うことが可能となる。
【００１５】
なお、前記地域情報は、郵便番号、市外局番、または都道府県番号を示す情報である。
なお、本発明は、このような放送受信装置として実現することができるだけでなく、このような放送受信装置が備える特徴的な手段をステップとする放送受信方法として実現することもできる。
【発明の効果】
【００１６】
以上のように、本発明によれば、複数の地上デジタル放送受信装置を所有する場合でも、機器が増えるたびに地域情報を設定する必要がない。また、複数の地上デジタル放送受信装置を新規に購入した場合や、複数の地上デジタル放送受信装置を所有するユーザの居住地が転居等により変更になった場合でも、全ての地上デジタル放送受信装置について地域情報を設定する必要がない。
【００１７】
このように簡便に地域情報を設定することができれば、設定された地域情報を用いてチャネルプリセット等も容易に行うことが可能となる。しかも、地域情報を直接入力したり、該当する地域を選択画面より選択したりする必要がないので、誤った地域情報を設定してしまうという不具合も発生しない。
【発明を実施するための最良の形態】
【００１８】
以下、本発明の実施の形態について図面を用いて詳細に説明する。
【００１９】
（実施の形態１）
図１は、本実施の形態１におけるＡＶシステムの構成例を示す図である。この図に示されるように、本ＡＶシステムには、ＤＶＲ１００とＴＶ２００とが含まれる。
【００２０】
ＤＶＲ１００は、地上デジタル放送を受信する装置であって、制御部１０２、チューナ１０３、記録再生部１０４、エンコーダ１０５、デコーダ１０６、ユーザ操作部１０７、スイッチ１０８、データ出力Ｉ／Ｆ１０９、コマンド入出力Ｉ／Ｆ１１０、記録媒体１１１、データ処理部１１２、アンテナ１２１、メモリ１３０、不揮発メモリ１３２を備えている。制御部１０２は、ＤＶＲ１００の各構成部の動作を制御する。チューナ１０３は、アンテナ１２１で受信した地上デジタル放送から特定のチャンネルの映像音声データを取り出す。記録再生部１０４は、記録媒体１１１に対してデータを読み書きする。エンコーダ１０５は、チューナ１０３から受け取った映像音声データを記録媒体１１１の記録に適した形式に変換する。デコーダ１０６は、記録媒体１１１に記録されているデータをデコードする。ユーザ操作部１０７は、ＤＶＲ１００の本体上の操作ボタンや、ユーザが操作するリモコンから赤外線信号などの指示信号を受け取る受光器等である。スイッチ１０８は、チューナ１０３とデコーダ１０６のいずれかを選択する。データ出力Ｉ／Ｆ１０９は、データ用ケーブル４０１を通して映像音声データをＴＶ２００に出力する。コマンド入出力Ｉ／Ｆ１１０は、コマンド用ケーブル４０２を通じてコマンドをＴＶ２００との間で入出力する。記録媒体１１１は、データを記録することが可能なＤＶＤ−ＲＡＭディスク等である。データ処理部１１２は、必要に応じて映像音声データを加工してデータ出力Ｉ／Ｆ１０９に出力する。アンテナ１２１は、地上デジタル放送を受信してチューナ１０３に出力する。メモリ１３０は、データを一時的に記憶する揮発性のメモリである。不揮発メモリ１３２は、地域情報等の設定情報を記憶する不揮発性のメモリである。地域情報とは、既に説明した通り、郵便番号・都道府県・市外局番等、地域を示す情報である。
【００２１】
ＴＶ２００は、地上デジタル放送を受信する装置であって、画面２０２、スピーカ２０３、制御部２０４、データ処理部２０５、チューナ２０６、スイッチ２０７、ユーザ操作部２０８、データ入力Ｉ／Ｆ２０９、コマンド入出力Ｉ／Ｆ２１０、アンテナ２２１を備えている。制御部２０４は、ＴＶ２００の各構成部の動作を制御する。データ処理部２０５は、必要に応じて映像音声データを加工して画面２０２またはスピーカ２０３に出力する。チューナ２０６は、アンテナ２２１で受信した地上デジタル放送から特定のチャンネルの映像音声データを取り出す。スイッチ２０７は、データ入力Ｉ／Ｆ２０９とチューナ２０６のいずれかを選択する。ユーザ操作部２０８は、ＴＶ２００の本体上の操作ボタンや、ユーザが操作するリモコンから赤外線信号などの指示信号を受け取る受光器等である。データ入力Ｉ／Ｆ２０９は、データ用ケーブル４０１を通して映像音声データをＤＶＲ１００から入力する。コマンド入出力Ｉ／Ｆ２１０は、コマンド用ケーブル４０２を通じてコマンドをＤＶＲ１００との間で入出力する。アンテナ２２１は、地上デジタル放送を受信してチューナ２０６に出力する。
【００２２】
ＤＶＲ１００とＴＶ２００とは、データ用ケーブル４０１とコマンド用ケーブル４０２とによって接続されている。データ用ケーブル４０１は、映像音声データを伝送するためのＤ端子ケーブル・Ｓ端子ケーブル・ＲＣＡケーブル・ＤＶＩケーブル等である。コマンド用ケーブル４０２は、コマンドを伝送するためのＲＳ２３２Ｃシリアルケーブル等である。
【００２３】
以下、本実施の形態１におけるＡＶシステムの動作について説明する。ここでは、既存のＴＶ２００に対して、新規購入されたＤＶＲ１００が接続された（新設された）と仮定する。すなわち、ＴＶ２００の不揮発メモリ２３２には既に地域情報が記憶されており、その地域情報に応じたチャンネルプリセットが完了している。他方、ＤＶＲ１００の不揮発メモリ１３２には地域情報が記憶されておらず、チャンネルプリセットも完了していない。
【００２４】
＜ＤＶＲの動作＞
図２は、本実施の形態１におけるＤＶＲ１００の動作を示すフローチャートである。
【００２５】
ユーザは、「初期設定」「再生開始」「再生停止」「メニュー表示」「メニュー閉じる」など、様々な指示をユーザ操作部１０７に入力することができる。ユーザ操作部１０７は、ユーザからの指示を受け取ると、その指示を制御部１０２に通知する。
【００２６】
制御部１０２は、ユーザから「初期設定」の指示があった場合、不揮発メモリ１３２の所定領域を読み出し（Ｓ２０１）、地域情報が設定されているか否かを判定する（Ｓ２０２）。ここでは、ＤＶＲ１００の不揮発メモリ１３２には地域情報が記憶されていない場合を想定しているので、ステップＳ２０２ではＹｅｓと判定される。
【００２７】
仮に、地域情報が設定されていた場合（Ｓ２０２、Ｎｏ）、制御部１０２は、その旨を示したメニュー画面の生成をデータ処理部１１２に指示する。データ処理部１１２は、指示されたメニュー画面のデータを生成し、スイッチ１０８から受け取る映像音声データの代わりに、生成したメニュー画面のデータをデータ出力Ｉ／Ｆ１０９に出力する。出力されたメニュー画面のデータは、データ用ケーブル４０１を通じてＴＶ２００の画面２０２に表示される。
【００２８】
図３は、ＴＶ２００の画面２０２の表示例を示す図である。この図に示されるように、例えば「東京２３区」を意味する地域情報が設定されていた場合は、「お住まいの地域からチャンネルを自動設定します。地域を選択して［決定］を押すと、地域を修正することができます。」等のメッセージとともに、東京２３区が選択されている状態の画面がＴＶ２００に表示される。選択されている地域「東京２３区」が適切でない場合は、ユーザ操作部１０７に指示を出すことにより、適切な地域に修正することができる。
【００２９】
他方、制御部１０２は、地域情報が設定されていないと判定した場合（Ｓ２０２、Ｙｅｓ）、コマンド出力Ｉ／Ｆを通じて、ＤＶＲ１００に接続された機器があるか否かを判定する（Ｓ２０３）。ここでは、ＴＶ２００がＤＶＲ１００に接続されているので（Ｓ２０４、Ｙｅｓ）、ＤＶＲ１００に接続された機器があると判定する。
【００３０】
そこで、制御部１０２は、設定情報取得要求を生成し（Ｓ２０４）、生成した設定情報取得要求をコマンド出力Ｉ／Ｆ１１０とコマンド用ケーブル４０２とを通してＴＶ２００に送信する（Ｓ２０５）。設定情報取得要求を送信してから所定時間内に設定情報取得要求応答を受信した場合（Ｓ２０６，Ｙｅｓ）、その応答のデータ部から郵便番号・市外局番・都道府県番号等の地域情報を抽出する（Ｓ２０７）。
【００３１】
図４は、設定情報取得要求応答の内部構成例を示す図である。この図に示されるように、設定情報取得要求応答のデータ部には、郵便番号・市外局番・都道府県番号等の地域情報が含まれる。制御部１０２は、この応答のデータ部から地域情報を正常に抽出すると、抽出した地域情報を不揮発メモリ１３２に記憶させる（Ｓ２０８）。地域情報の記憶が完了すると、チューナ１０２を制御してチャンネルプリセットを行う。チャンネルプリセットが完了すると、プリセット情報を不揮発メモリ１３２に記憶させる。
【００３２】
もっとも、チャンネルプリセットを行うタイミングは、地域情報の記憶が完了した時に限定されるものではない。たとえば、地域情報の記憶が完了すると、図３に示されるように、その地域情報の修正要否を問い合わせる画面をＴＶ２００に表示するようにし、この画面に含まれる決定ボタンが押された時にチャンネルプリセットを行うようにしてもよい。
【００３３】
＜ＴＶの動作＞
図５は、本実施の形態１におけるＴＶ２００の動作を示すフローチャートである
ＤＶＲ１００の「初期設定時」、ＴＶ２００の制御部２０４は、ＤＶＲ１００からのデータ出力を入力するデータ入力Ｉ／Ｆ側にスイッチ２０７を設定する。これにより、ＤＶＲ１００からのメニュー画面等を画面２０２に出力することが可能となる。
【００３４】
ＴＶ２００の制御部２０４は、ＤＶＲ１００から設定情報取得要求を受信すると（Ｓ３０１、Ｙｅｓ）、不揮発メモリ２３２の所定領域を読み出し（Ｓ３０２）、地域情報が記憶されているか否かを判定する。地域情報が設定されていると判定した場合は（Ｓ３０３、Ｙｅｓ）、ＤＶＲ１００からの設定情報取得要求に対する応答を生成し（Ｓ３０４）、生成した応答をコマンド出力Ｉ／Ｆ２１０とコマンド用ケーブル４０２とを通してＤＶＲ１００に送信する（Ｓ３０５）。
【００３５】
＜コマンドシーケンス＞
図６は、本実施の形態１におけるＡＶシステムの通信シーケンスを示す図である。既に説明した通り、既存のＴＶ２００にＤＶＲ１００が新設されると、ＤＶＲ１００からＴＶ２００に設定情報取得要求が送信され（Ｓ１０１）、その後、ＴＶ２００からＤＶＲ１００に設定情報取得要求応答が送信される（Ｓ１０２）。
【００３６】
以上のように、本実施の形態１によれば、既存のＴＶ２００にＤＶＲ１００が新設されると、ＴＶ２００に設定されている地域情報がＤＶＲ１００に自動的に反映される。これにより、複数の地上デジタル放送受信装置を所有する場合でも、機器が増えるたびに地域情報を設定する必要がない。このように簡便に地域情報を設定することができれば、設定された地域情報を用いてチャネルプリセット等も容易に行うことが可能となる。しかも、地域情報を直接入力したり、該当する地域を選択画面より選択したりする必要がないので、誤った地域情報を設定してしまうという不具合も発生しない。
【００３７】
なお、本実施の形態１では、ＤＶＲ１００の不揮発メモリ１３２に地域情報が設定されていない場合のみ、ＤＶＲ１００からＴＶ２００に設定情報取得要求が送信されることとしているが、本発明はこれに限定されるものではない。すなわち、ＤＶＲ１００の不揮発メモリ１３２に地域情報が設定されている場合でも、ユーザがユーザ操作部１０７を通じて設定情報の更新を指示した場合は、ＤＶＲ１００からＴＶ２００に設定情報取得要求が送信されるようにしてもよい。このような機能は、図２のステップＳ２０２において、ユーザからの更新指示があるか否かを制御部１０２が判定することによって実現することができる。
【００３８】
これにより、例えば転居により居住地が変更になった場合等、既にＤＶＲ１００の不揮発メモリ１３２に地域情報が記憶されている場合でも、簡便に地域情報を設定することが可能となる。すなわち、ＴＶ１００の地域情報だけを更新しておき、ＤＶＲ１００等、２台目以上の機器については、その機器が生成するメニュー画面から更新指示を出すと、ＴＶ２００に設定された更新済みの地域情報が２台目以上の機器に自動的に反映される。その結果、チャネルプリセット等も容易に行うことが可能となるのはいうまでもない。
【００３９】
なお、本実施の形態１では、データ用ケーブル４０１とコマンド用ケーブル４０２という二本のケーブルによってＤＶＲ１００とＴＶ２００とを接続することとしているが、本発明はこれに限定されるものではない。例えば、ＬＡＮ（Ｌｏｃａｌ Ａｒｅａ Ｎｅｔｗｏｒｋ）ケーブルや、ＩＥＥＥ１３９４ケーブル等を使用して、データとコマンドを一本のケーブルで伝送するようにしてもよい。
【００４０】
なお、本実施の形態１では、ＴＶ２００に地域情報が設定されていることを前提に説明したが、ＴＶ２００に地域情報が設定されていない場合は、その旨を示す応答をＴＶ２００がＤＶＲ１００に送信するようにしてもよい。この場合は、従来と同様、ユーザに地域情報を直接入力させたり、該当する地域を選択画面より選択させたりするため、図７に示されるように、「お住まいの地域からチャンネルを自動設定します。地域を選択して［決定］を押してください。」等のメッセージを含む画面をＴＶ２００に表示する。このようにすれば、ＴＶ２００に地域情報が設定されていない場合でも、ユーザは、何ら違和感なく初期設定作業を継続することができる。
【００４１】
なお、本実施の形態１では、地域情報を例示して説明したが、情報の種類は地域情報に限定されるものではない。すなわち、複数の機器で共通に使用される設定情報を扱う以上、前記と同様の効果を得ることができる。
【００４２】
なお、本実施の形態１では、ＤＶＲ１００からＴＶ２００に設定情報取得要求が送信され、その応答がＴＶ２００からＤＶＲ１００に送信されることとしているが、逆に、ＴＶ２００からＤＶＲ１００に設定情報取得要求が送信され、その応答がＤＶＲ１００からＴＶ２００に送信されるようにしてもよい。あるいは、ＤＶＲ１００だけでなくセットトップボックス等の放送受信装置がＴＶ２００に接続されている場合は、ＴＶ２００とセットトップボックスの両機器にＤＶＲ１００からの設定情報取得要求が送信されるようにしてもよい。この場合、ＴＶ２００に地域情報が設定されていないときは、セットトップボックスに設定されている地域情報がＤＶＲ１００に送信されるのが好ましい。
【００４３】
（実施の形態２）
前記実施の形態１では、既存のＴＶ２００にＤＶＲ１００が新設された場合を例示した。本実施の形態２では、ＤＶＲ１００・ＴＶ２００ともに新規購入されたばかりであると仮定する。すなわち、ＴＶ２００の不揮発メモリ２３２にもＤＶＲ１００の不揮発メモリ１３２にも地域情報は記憶されておらず、両機器ともチャンネルプリセットは完了していない。
【００４４】
以下、ＴＶ２００の初期設定メニューから地域情報を新たに設定した場合を想定して、本実施の形態２におけるＡＶシステムの動作について説明する。なお、以下の説明では、前記実施の形態１と同じ部分については詳しい説明を省略する。
【００４５】
＜ＴＶの動作＞
図８は、実施の形態２におけるＴＶ２００の動作を示すフローチャートである
ＴＶ２００の初期設定メニューから地域情報が新たに設定されると（Ｓ５０１、Ｙｅｓ）、制御部２０４は、不揮発メモリ２３２に地域情報を設定するとともに、不揮発メモリ２３２の所定の領域から通知要否情報を読み出す。通知要否情報とは、ユーザによる設定情報の更新があった際、その更新通知を外部機器に送信することを許可するか否かを示す情報である。
【００４６】
制御部２０４は、外部機器への通知が許可されている場合（Ｓ５０２、Ｙｅｓ）、設定情報更新通知を生成し（Ｓ５０３）、生成した設定情報更新通知をコマンド入出力Ｉ／Ｆ２１０とコマンド用ケーブル４０２とを通じてＤＶＲ１００に送信する（Ｓ５０４）。その後、チューナ２０６を制御してチャンネルプリセットを行う。チャンネルプリセットが完了すると、プリセット情報を不揮発メモリ２３２に記憶させる。
【００４７】
＜ＤＶＲの動作＞
図９は、本実施の形態２におけるＤＶＲ１００の動作を示すフローチャートである。
【００４８】
ＤＶＲ１００の制御部１０２は、不揮発性メモリ１３２に地域情報が記憶されていない状態において、ＴＶ１００からコマンド入出力Ｉ／Ｆ１１０を通じて設定情報更新通知を受信すると（Ｓ６０１、Ｙｅｓ）、設定情報更新通知のデータ部から郵便番号・市外局番・都道府県番号等の地域情報を抽出する（Ｓ６０２）。
【００４９】
図４は、設定情報更新通知の内部構成例を示す図である。この設定情報更新通知の内部構成は、前記実施の形態１でいう設定情報取得要求応答と同じであるため、ここでは説明を省略する。制御部１０２は、この更新通知のデータ部から地域情報を正常に抽出すると、不揮発メモリ１３２の所定の領域から自動更新可否情報を読み出す。自動更新可否情報とは、設定情報の自動更新が可能であるか否かを示す情報である。
【００５０】
制御部１０２は、設定情報の自動更新が可能である場合（Ｓ６０３、Ｙｅｓ）、抽出した地域情報を不揮発メモリ１３２の所定の領域に記憶させる（Ｓ６０４）。地域情報の記憶が完了すると、チューナ２０６を制御してチャンネルプリセットを行う。チャンネルプリセットが完了すると、プリセット情報を不揮発メモリ１３２に記憶させる。
【００５１】
＜コマンドシーケンス＞
図１０は、本実施の形態２におけるＡＶシステムの通信シーケンスを示す図である。既に説明した通り、ＴＶ２００の初期設定メニューから地域情報が新たに設定されると、ＴＶ２００からＤＶＲ１００に設定情報更新通知が送信される（Ｓ４０１）。
【００５２】
以上のように、本実施の形態２によれば、一台の機器に地域情報が新たに設定されると、その地域情報が他の機器に自動的に反映される。これにより、複数の地上デジタル放送受信装置を新規に購入した場合や、複数の地上デジタル放送受信装置を所有するユーザの居住地が転居等により変更になった場合でも、全ての地上デジタル放送受信装置について地域情報を設定する必要がない。このように簡便に地域情報を設定することができれば、設定された地域情報を用いてチャンネルプリセット等も容易に行なうことが可能となる。しかも、地域情報を直接入力したり、該当する地域を選択画面より選択したりする必要がないので、誤った地域情報を設定してしまうという不具合も発生しない。
【００５３】
なお、本実施の形態２では、ＴＶ２００の不揮発メモリ２３２に記憶されている通知要否情報に基づいてＴＶ１００がＤＶＲ１００に設定情報更新通知を送信することとしているが、本発明はこれに限定されるものではない。例えば、ＴＶ２００がＤＶＲ１００に必ず設定情報更新通知を送信する場合は、不揮発メモリ２３２に通知要否情報を記憶しておく必要はない。
【００５４】
なお、本実施の形態２では、ＤＶＲ１００の不揮発メモリ１３２に記憶されている自動更新可否情報に基づいて、ＴＶ１００から受信した更新情報の反映可否をＤＶＲ１００が判定することとしているが、本発明はこれに限定されるものではない。例えば、ＴＶ１００から受信した更新情報をＤＶＲ１００が必ず反映する場合は、不揮発メモリ１３２に自動更新可否情報を記憶しておく必要はない。
【００５５】
あるいは、ＤＶＲ１００がＴＶ２００から設定情報更新通知を受信した場合、ＤＶＲ１００の制御部１０２は、その旨を示したメニュー画面の生成をデータ処理部１１２に指示するようにしてもよい。データ処理部１１２は、指示されたメニュー画面のデータを生成し、スイッチ１０８から受け取る映像音声データの代わりに、生成したメニュー画面のデータをデータ出力Ｉ／Ｆ１０９に出力させる。これにより、ＴＶ２００の画面２０２に表示されたメニューに対してユーザがユーザ操作部１０７を通じて更新許可を出した場合は設定情報を更新するようにしてもよい。
【００５６】
なお、実施の形態１又は２でいうＤＶＲ１００の制御部１０２は、本発明に係る要求送信手段、応答受信手段、抽出手段、プリセット手段、更新通知受信手段の一例である。また、実施の形態１又は２でいうＴＶ２００の制御部２０４は、本発明に係る要求受信手段、応答送信手段、更新通知送信手段の一例である。
【産業上の利用可能性】
【００５７】
本発明に係る放送受信装置は、簡便に地域情報を設定することが必要なＤＶＲやＴＶ等に適用することができる。
【図面の簡単な説明】
【００５８】
【図１】実施の形態におけるＡＶシステムの構成例を示す図である。
【図２】実施の形態１におけるＤＶＲの動作を示すフローチャートである。
【図３】ＴＶの画面の表示例を示す図である。
【図４】設定情報取得要求応答の内部構成例を示す図である。
【図５】実施の形態１におけるＴＶの動作を示すフローチャートである。
【図６】実施の形態１におけるＡＶシステムの通信シーケンスを示す図である。
【図７】ＴＶの画面の表示例を示す図である。
【図８】実施の形態２におけるＴＶの動作を示すフローチャートである
【図９】実施の形態２におけるＤＶＲの動作を示すフローチャートである。
【図１０】実施の形態２におけるＡＶシステムの通信シーケンスを示す図である。
【符号の説明】
【００５９】
１００  ＤＶＲ
１０２  制御部
１０３  チューナ
１０４  記録再生部
１０５  エンコーダ
１０６  デコーダ
１０７  ユーザ操作部
１０８  スイッチ
１０９  データ出力Ｉ／Ｆ
１１０  コマンド入出力Ｉ／Ｆ
１１１  記録媒体
１１２  データ処理部
１２１  アンテナ
１３０  メモリ
１３２  不揮発メモリ
２００  ＴＶ
２０２  画面
２０３  スピーカ
２０４  制御部
２０５  データ処理部
２０６  チューナ
２０７  スイッチ
２０８  ユーザ操作部
２０９  データ入力Ｉ／Ｆ
２１０  コマンド入出力Ｉ／Ｆ
２３０  メモリ
２３２  不揮発メモリ
４０１  データ用ケーブル
４０２  コマンド用ケーブル
【図１】
2007104140.tif 000003
【図２】
2007104140.tif 000004
【図３】
2007104140.tif 000005
【図４】
2007104140.tif 000006
【図５】
2007104140.tif 000007
【図６】
2007104140.tif 000008
【図７】
2007104140.tif 000009
【図８】
2007104140.tif 000010
【図９】
2007104140.tif 000011
【図１０】
2007104140.tif 000012